(57)【要約】【課題】二つの異なる情報をシートに印字・印刷し、一の情報が表示されたシートを表面に露出し、他の情報が表示されたシートを秘匿状態にして箱に貼り付けて使用される帳票印刷用シートを、箱に貼り付ける際の作業性を向上させて、簡便に取り扱いえるように構成する。【解決手段】情報が印字される表側シート２、中間シート３及び裏側シート４を重ねて形成された帳票印刷用シート１において、中間シート３の表面の一方の側に表側シート２の裏面部分に周縁三辺が接着して表側シート２の裏面との間で袋状部５を形成する袋状部形成領域３１、他方の側に表側シート２の裏面が剥離可能に接着するシート疑似接着領域３２を設け、裏側シート４で袋状部５を含む中間シート３の裏面全体に設けた粘着剤層８を覆い、中間シート３と裏側シート４はスリット３３，４３で分離可能に構成する。【選択図】図３
2018012241.tif 000002
【特許請求の範囲】
【請求項１】
表側シート、中間シート及び裏側シートを重ね合わせて形成された帳票印刷用シートであって、
表側シートはその表面の一方の側に第１の情報印字領域、他方の側に第２の情報印字領域が設けられ、
中間シートはその表面の一方の側に、前記第１の情報印字領域に位置対応する表側シートの裏面部分に周囲三辺が接着して表側シートの裏面との間で袋状部を形成する袋状部形成領域、他方の側に表側シートの裏面が剥離可能に接着するシート疑似接着領域が設けられ、
裏側シートはその表面に中間シートの裏面と当該裏側シートの表面の間に設けられた粘着剤層を覆う粘着剤層保護領域が設けられ、
前記表側シートの第１の情報印字領域と第２の情報印字領域が当該シートの一の側辺と対向他側辺間に設けられたシート折れ線によって区画され、
前記中間シートと裏側シートが、中間シートの袋状部形成領域とシート疑似接着領域の境界に沿って前記両シートの一の側辺と対向他側辺間に設けられたシート分断線によって区画された構成を有することを特徴とする帳票印刷用シート。
【請求項２】
裏側シート表面に全体に粘着剤層保護領域が設けられた構成に代えて、
裏側シートの表面の前記中間シートの袋状部形成領域に位置対応する部分に中間シートの裏面部分と当該裏側シートの表面部分の間に設けられた粘着剤層を覆う粘着剤層保護領域、他の部分に中間シートの裏面に接着剤を介して接着するシート接着領域が設けられた構成を有することを特徴とする請求項１に記載の帳票印刷用シート。
【請求項３】
表側シートの第２の情報印字領域の周囲が、当該シートの縁部よりも内方寄りに設けられていて第１の情報印字領域と第２の情報印字領域を区画するシート折れ線に連ねて設けられたシート分断線で囲われた構成を有することを特徴とする請求項１又は２に記載の帳票印刷用シート。
【請求項４】
請求項１から３の何れかに記載の帳票印刷用シートを用いてなる荷物配送用の伝票であって、表側シートの第１の情報印字領域に梱包荷物を配送するための情報、第２の情報印字領域に梱包された物品に関する情報が印字された構成を有することを特徴とする配送用伝票。
【発明の詳細な説明】
【技術分野】
【０００１】
本発明は、インクジェトプリンタ、感熱プリンタ、レーザービームプリンタに代表される電子写真出力装置などのノンインパクトプリンタを用いてシート表面に各種情報を印字・印刷して、所望の形式の帳票を作製するための帳票印刷用シートとこれを用いて作製された配送用伝票に関する。
【０００２】
荷物の配送に用いられる配送用伝票として、例えば荷物を梱包した箱に貼り付ける貼付票と梱包した荷物の明細を表示した明細票を一枚のシート上にレイアウトした構成のものが知られている（例えば特許文献１参照）。
【０００３】
この配送用伝票は、印字プリンタにシートをセットして、貼付票の表面に荷物の届け先や依頼主などの荷物配送に必要な情報を、明細票の表面には配送する荷物の内容に関する情報をそれぞれ印字出力し、その後、貼付票と明細票を切り離す。
そして、図１６に示されるように、貼付票１０１の裏面の周囲三辺の縁部に沿って設けられた粘着剤１０１ａをその表面を覆った離型紙を剥がして露出させ、これを、荷物を梱包した箱１００に貼り付けて箱１００の表面と貼付票１０１の裏面との間に袋状部１０３を形成し、この袋状部１０３に前記切り離した明細票１０２を差し入れて収納することで、別に用意した封筒を箱１００に貼り付けるなどしなくとも、物品を箱１００に梱包した後に作成した明細票１０２を、箱１００に一体に添付して配送することができるようになっている。
【先行技術文献】
【特許文献】
【０００４】
【特許文献１】特開２００５−２８８９９０号公報
【発明の概要】
【発明が解決しようとする課題】
【０００５】
従来の配送用伝票は、前記図９に示されるように、貼付票１０１と箱１００の間に袋状部１０３を形成するため、貼付票１０１の裏面の周囲三辺の縁部に沿わせてコ字形に粘着剤１０１ａを設けてある。貼付票１０１の裏面に部分的に粘着剤１０１ａが設けてあるため、箱１００の表面に貼付票１０１を貼り付けるときに、粘着剤１０１ａが設けてある位置と押しつける方向性を考慮して貼付票１０１を押しつけないと綺麗に貼り付けることができず、貼付票１０１の表面に皺ができて袋状部１０３が狭くなった状態で貼り付けてしまうことも多く、裏面全体に粘着剤が設けられた貼付票と比較して、箱１００に貼り付ける際の作業性が悪いという問題があった。粘着剤１０１ａの塗布面積が小さいため、運搬中に箱１００からの貼付票１０１が剥がれたて明細票１０２とともに脱落する虞が大きいことは否めない。また、袋状部１０３内に明細票１０２を差し入れて収納した後に、明細票１０２が抜け落ちないように差し入れ口を閉じる作業が必要であった。
また、シートに情報を印字出力した後、貼付票１０１と明細票１０２は分離して取り扱われるため、多数の荷物を発送するときなどに箱１００に添付する明細票１０２を紛失したり異なる届け先の箱１００に誤って別の明細票１０２を添付したりし易いという問題があった。
箱に荷物を梱包した後に明細票や送り状などを添付する場合に、明細票などをビニール製の袋に封入し、これを箱の外側に貼付けるデリバリーパックが用いられることが多いが、エコロジーの観点からは、帳票類を含めた荷物配達後は捨てられる紙製、プラスチック製の包装資材の使用は可能な限り減らすことが好ましく、デリバリーパックを用いずに明細票などを箱に確実に添付することができる手段が望まれる。
【０００６】
本発明は従来の技術の有するこのような問題点に鑑み、取り扱いが簡便で情報の秘匿性に優れ、箱に貼り付ける際の作業性が良好な帳票印刷用シートを構成することを課題とする。また、本発明は、異なる印字情報の出力と箱への貼り付けのミスマッチングを極限まで防止することができ、貼り付けた箱から脱落し難く、明細票の取り出し操作も良好な配送用伝票を構成することを課題とする。また、エコロジー特性の観点から、デリバリーパックを用いることなく、荷物を梱包した箱に、明細票などを封入し荷貼りすることができるようにすることを課題とする。
【課題を解決するための手段】
【０００７】
前記課題を解決するため本発明は、表側シート、中間シート及び裏側シートを重ね合わせて形成された帳票印刷用シートであって、
表側シートはその表面の一方の側に第１の情報印字領域、他方の側に第２の情報印字領域が設けられ、
中間シートはその表面の一方の側に、前記第１の情報印字領域に位置対応する表側シートの裏面部分に周囲三辺が接着して表側シートの裏面との間で袋状部を形成する袋状部形成領域、他方の側に表側シートの裏面が剥離可能に接着するシート疑似接着領域が設けられ、
裏側シートはその表面に中間シートの裏面と当該裏側シートの表面の間に設けられた粘着剤層を覆う粘着剤層保護領域が設けられ、
前記表側シートの第１の情報印字領域と第２の情報印字領域が当該シートの一の側辺と対向他側辺間に設けられたシート折れ線によって区画され、
前記中間シートと裏側シートが、中間シートの袋状部形成領域とシート疑似接着領域の境界に沿って前記両シートの一の側辺と対向他側辺間に設けられたシート分断線によって区画された構成を有することを特徴とする。
前記構成の帳票印刷用シートにおいて、裏側シート表面に全体に粘着剤層保護領域が設けられた構成に代えて、裏側シートの表面の前記中間シートの袋状部形成領域に位置対応する部分に中間シートの裏面部分と当該裏側シートの表面部分の間に設けられた粘着剤層を覆う粘着剤層保護領域、他の部分に中間シートの裏面に接着剤を介して接着するシート接着領域が設けられた構成とすることができる。
【０００８】
前記の通り、本発明の帳票印刷用シートは、表側シートの第１の情報印字領域が設けられた部分の裏面側に周囲三辺が中間シート表面に接着して表側シートと中間シートで袋状部を形成しており、この袋状部が形成された部分の中間シートの裏面側には粘着剤層を介して裏側シートが剥離可能に接着してある。
一方、表側シートの第２の情報印字領域が設けられた部分は、その裏面側が中間シートに剥離可能に疑似接着しており、この部分の中間シートの裏面側は裏側シートの表面に一体に粘着又は接着し、さらに、この部分の中間シートと裏側シートは、シート分断線に沿って、前記中間シートの袋状部が形成された部分及び裏側シートの粘着剤層を介して袋状部を覆っている部分から容易に分離することができるように設けてある。
【０００９】
これによれば、表側シートの第２の情報印字領域が形成された部分を中間シートから引き剥がせば、表側シートの第１の情報印字領域と第２の情報印字領域は一続きにつながったままで、中間シートと裏側シートの前記第２の情報印字領域に重なった部分をシート分断線に沿って切り離すことができ、この切り離しにより、表側シートと中間シートで形成された袋状部の開口が、表側シートの下側であって第１の情報印字領域と第２の情報印字領域の境界に沿って露出する。
よって、この開口から表側シートの第２の情報印字領域が形成された部分を袋状部内に差し込むことで、第２の情報印字領域が袋状部内に収納され、第２の情報印字領域に表示された情報を秘匿状態とすることができる。第２の情報印字領域を袋状部に収納する過程で、表側シートの第１の情報印字領域と第２の情報印字領域を切り離す操作は不要であり、シート折れ線に沿って第２の情報印字領域が形成された部分を折り曲げることで袋状部への収納が可能である。
そして、粘着剤層を介して中間シートの袋状部の裏面側を覆う裏側シートを剥離して粘着剤層を露出すれば、表側シートの第１の情報印字領域を表面側に向けて、前記第２の情報印字領域が収納された袋状部を箱などに一体に貼り付けることができる。この際、袋状部の裏面側全体に粘着剤層を設けてあるので、箱に貼り付ける際の方向性などは考慮する必要はなく、簡易な操作で確実に貼り付けることが可能である。従来から使用されている、配送票などを封入し荷貼りするためのデリバリーパックは不要である。
表側シートの第１の情報印字領域に配送情報、袋状部に収納される第２の情報印字領域に明細票や納品書などに関する情報を印字して本発明のシートを荷物の配送用伝票に適用した場合、袋状部の裏面全体に粘着剤層が設けられているので、箱に貼り付けた伝票が確実且つ強固に固定され、荷物配送中に伝票や明細票などが剥がれたり脱落したりするようなことはない。
【００１０】
前記構成の帳票印刷用シートにおいて、表側シートの第２の情報印字領域の周囲が、当該シートの縁部よりも内方寄りに設けられていて第１の情報印字領域と第２の情報印字領域を区画するシート折れ線に連ねて設けられたシート分断線で囲われた構成とすることが好ましい。シート分断線に沿って表側シートの第２の情報印字領域の周囲を切り離せば、第２の情報印字領域の端部の幅が袋状部の開口と略同じか若干狭くなるので、袋状部内に容易に差し込むことが可能となる。
【００１１】
また、本発明の配送用伝票は、前記構成の帳票印刷用シートを用い、表側シートの第１の情報印字領域に梱包荷物を配送するための情報、第２の情報印字領域に梱包された物品に関する情報が印字して構成されるものである。
例えば第１の情報印字領域に配送する荷物の受取主である届け先の情報や依頼主の情報などを表示して貼付票を構成し、第２の情報印字領域に配送する荷物の内容に関する情報を印字して明細票や納品書を構成すれば、物品を配送用の箱に梱包した後に配送用伝票を作成しても、明細票や納品書を箱に一体に添付して配送することが可能である。明細票や納品書を封入し荷物に貼り付けるようなデリバリーパックを必要とせず、省資源化が図られる点でエコ特性に優れている。
この場合、貼付票とともに、第１の情報印字領域に荷物を受取主に配達するのと引き換えに配達作業者が持ち帰る配達票などを袋状部が形成された部分にレイアウトするとともに、配達票などの周辺にシート分断線である切り取り用のミシン目を設けて表側シートから切除可能に形成することができる。さらに、袋状部に収納される明細票や納品書の裏面にその帳票名称を印字しておけば、配達票などを表側シートから切除することで形成される切り取り孔を通して、伝票の外側から袋状部に収納された書類の内容を知ることができる。
【００１２】
前記構成において、表側シートと裏側シートの間に形成される袋状部は、表側シートの第２の情報印字領域側を開口し、且つ他の周囲三辺側の表側シートの裏面及び裏側シートの表面を接着して形成される部分であり、表側シートと裏側シートの周縁三辺、或いは両シートの周縁よりも内方の部分を袋状部の三辺に沿って接着して形成することができる。両シートの接着は、袋状部の周囲三辺の全面が接着されていても、各辺が部分的に接着されていてもよい。
また、前記構成において、剥離可能に接着するとは、例えば感圧接着剤などを用いて接着し、接着後に手で剥がそうとすれば容易に剥がすことができるように疑似接着していることを意味する。
さらに、表側シートの第１の情報印字領域と第２の情報印字領域を区画するシート折れ線は、第１の情報印字領域と第２の情報印字領域の境界を容易に折り曲げることができるように加工された線であり、当該シートの表面に罫線刃を適宜な深さに差し入れて設けた折れ筋やミシン目などにより形成することができる。
シート分断線は、シートを分断するために入れられた切れ目であるスリットやミシン目などにより形成することができる。綺麗に分断することができ且つ操作がし易いことからスリットであることが好ましい。スリットは、その全体に切れ目を連続させたものの他、スリット線上にアンカット部を適宜断続的に配置した構成のものでもよい。
シート折れ線とシート分断線は、断続的に交差する稲妻形状、波線形状又は凸凹形状のミシン目やスリットを線上に配置して設けたものでもよい。
本発明の帳票印刷用シートは、配送用伝票の他に所望の形式の帳票やラベルの作製に用いることが可能である。
【図面の簡単な説明】
【００１３】
【図１】本発明の帳票印刷用シートの一実施形態の外観図である。
【図２】図１のシートの中央横断面の部分拡大図である。
【図３】図１のシートの構成を重なったシート同士を分離して示した図である。
【図４】本発明のシートの使用の仕方を説明するための図であり、図１の状態から表側シートの一側を中間シートから剥離した状態の外観図である。
【図５】同じく、図４の状態から表側シートの一側を袋状部に差し入れる状態の外観図である。
【図６】同じく、袋状部の裏面を覆った裏側シートを剥離する状態の外観図である。
【図７】本発明の帳票印刷用シートを用いて作製された配送用伝票の一実施形態の外観図である。
【図８】図７の配送用伝票を構成する帳票印刷用シートの（Ａ）は表面側の外観図、（Ｂ）は裏面側の外観図である。
【図９】本発明の帳票印刷用シートを用いて作製された配送用伝票の他の実施形態の外観図である。
【図１０】図９の配送用伝票を構成する帳票印刷用シートの（Ａ）は表面側の外観図、（Ｂ）は裏面側の外観図である。
【図１１】図９の配送用伝票をその表側シートの一側を中間シートから剥離した状態の外観図である。
【図１２】図１１の配送票伝票の表側シートの一側を袋状部に差し入れる状態の伝票裏側の外観図である。
【図１３】袋状部の裏面を覆った裏側シートを剥離して荷物を梱包した箱に貼られる配送票伝票の外観図である。
【図１４】図１３の配送票伝票の配達票を切除した状態の外観図である。
【図１５】（Ａ），（Ｂ）は袋状部に封入された納品書を取り出す手順を説明するための図である。
【図１６】従来の配送用伝票の構成を示した図である。
【発明を実施するための形態】
【００１４】
本発明の好適な実施形態を、図面を参照して説明する。
図１〜図６は本発明の帳票印刷用シートの一例を示しており、この帳票印刷用シート１は、同寸同形の表側シート２、中間シート３及び裏側シート４を、後述する接着剤層６、疑似接着剤層７及び粘着剤層８を介して重ね合わせ、Ａ４サイズ又はＡ５サイズの一体のシートに形成してある。
【００１５】
詳しくは、表側シート２はその表面が、当該シート２の対向長側辺間に設けられたミシン目からなるシート折れ線２３によって二つの領域に区画され、幅狭な一方の領域に第１の情報印字領域２１、幅広な他方の領域に第２の情報印字領域２２がレイアウトしてある。
第２の情報印字領域２２の周囲は、前記シート折れ線２３に連ねて当該シート２の周辺縁部よりも内方寄りの位置に設けられた、表側シート２の表面から中間シート３の表面に至る深さのスリットからなるシート分断線２４で囲ってある。
【００１６】
中間シート３は、その表面の前記表側シート２の第１の情報印字領域２１に位置対応する部分に、表側シート２の裏面と中間シート３の表面が両シートの周縁三辺に沿って設けられた接着剤層６を介して一体に接着していて表側シート２の裏面との間で袋状部５を形成する袋状部形成領域３１が設けられ、その表面の前記表側シート２の第２の情報印字領域２２に位置対応する部分には、疑似接着剤層７を介して表側シート２の裏面が剥離可能に接着したシート疑似接着領域３２が設けてある。
袋状部形成領域３１とシート疑似接着領域３２は、当該シート３の対向長側辺間に設けられた、アンカット部を適宜断続的に配したスリットからなるシート分断線３３によって区画してある。
【００１７】
裏側シート４は、その表面全体が中間シート３の裏面との間に設けられた粘着剤層８を介して中間シート３の裏面に一体に粘着してある。
詳しくは、裏側シート４はその表面全体が粘着剤層８を覆う粘着剤層保護領域となっており、当該シート４の対向長側辺間に前記中間シート３のシート分断線３３と平行に設けられた、アンカット部を適宜断続的に配したスリットからなるシート分断線４３により、前記中間シート３の袋状部形成領域３１に位置対応する部分に設けられた粘着剤層８を覆う粘着剤層保護領域４１と、中間シート３の疑似接着領域３２に位置対応する部分に設けられた粘着剤層８を覆う粘着剤層保護領域４２の二つの領域に区画してある。
【００１８】
前記表側シート２は、例えばインクジェットプリンタに対応した上質紙からなる腰のあるやや肉厚な紙を用いることができ、中間シート３と裏側シート４は、薄肉なタックシートを用いることができる。
各シート間に設ける接着剤層６、疑似接着剤層７及び粘着剤層８としては、感圧接着剤や感熱接着剤、再湿接着剤などの剥離可能な接着剤が用いられ、フレキソ法、グラビア法などの公知の印刷又はコーティング法によって適宜な厚みに塗布し、接着剤が乾燥していない状態で貼り合わせるウェット方式や熱圧着方式、感圧方式によって貼り合わせることができる。また、中間シート３の裏面側に設ける粘着剤層８としては、アクリル系粘着剤や天然ゴム系粘着剤、合成ゴム系粘着剤などを用いることもできる。
【００１９】
このように、本形態の帳票印刷用シート１は、表側シート２の第１の情報印字領域２１が設けられた部分の裏面側には中間シート３の周縁三辺が接着していて表側シート２と中間シート３で袋状部５を形成しており、中間シート３の袋状部５が形成された部分の裏面側には粘着剤層８を介して裏側シート４が剥離可能に接着してある。一方、表側シート２の第２の情報印字領域２２が設けられた部分は、その裏面側が中間シート３の表面に剥離可能に疑似接着しており、この部分の中間シート３の裏面側には粘着剤層８を介して裏側シート４が粘着一体化してある。
そして、中間シート３と裏側シート４が一体に接着してある側は、中間シート３の前記袋状部５が形成された部分及び裏側シート４の前記袋状部５の裏面側に設けられた粘着剤層８を覆っている部分からシート分断線３３，４３に沿って容易に分離することができるように形成してある。
【００２０】
従って、本形態の帳票印刷用シート１をプリンタにセットして、表側シート２の第１、第２の情報印字領域２１，２２に情報を印字・印刷した後、表側シート２の第２の情報印字領域２２が形成された部分をその周囲のシート分断線２４に沿って中間シート３から引き剥がせば、図４に示されるように、表側シート２の第１の情報印字領域２１と第２の情報印字領域２２は一続きにつながったままで、中間シート３と裏側シート４の前記第２の情報印字領域２２に重なった部分がシート分断線３３，４３に沿って切り離され、これにより、表側シート２と中間シート３で形成された袋状部５の開口が、表側シート２の下側でシート折れ線２３に沿って露出する。
次いで、図５に示されるように、表側シート２の第２の情報印字領域２２が形成された部分をシート折れ線２３に沿って折り曲げ、その端部を袋状部５の開口から内部に差し込んで、第２の情報印字領域２２が形成された部分を袋状部５内に収納することで、第２の情報印字領域２２に表示された情報を秘匿状態とすることができる。
そして、図６に示されるように、中間シート３の袋状部５の裏面側を覆う裏側シート４を剥離して粘着剤層８を露出すれば、表側シート２の第１の情報印字領域２１を表面側に向けて、前記第２の情報印字領域２２が収納された袋状部５を箱などに一体に貼り付けることができる。この際、袋状部５の裏面側全体に粘着剤層８を設けてあるので、箱に貼り付ける際の方向性などは考慮する必要はなく、簡易な操作で確実に貼り付けることが可能である。
【００２１】
図７及び図８は、本発明の帳票印刷用シートを荷物の配送に用いる配送用伝票に適用した場合の形態を示している。
【００２２】
図示した帳票印刷用シート１は、表側シート２の第１の情報印字領域２１に貼付票２１ａと領収証２１ｂと配達票２１ｃとの情報印字領域、第２の情報印字領域２２に配送荷物の明細票２２ａの情報印字領域がそれぞれレイアウトされている以外は、前記図１から図６に示したシート１の構成と同じである。
【００２３】
詳しくは、貼付票２１ａの情報印字領域は表側シート２の表面の片側に、領収証２１ｂと配達票２１ｃの情報印字領域は袋状部５の表面にそれぞれ位置するようにレイアウトされて各票を特定する情報が印字・印刷してある。また、領収証２１ｂと配達票２１ｃの周囲は、アンカット部を適宜断続的に配したスリットからなるシート分断線２１ｄ，２１ｅで囲って、表側シート２から部分的に切除し分離することができるように設けてある。
また、領収証２１ｂと配達票２１ｃのコーナー部には略三角形状に接着剤が塗布されていいない部分を設けた剥がし口２１ｆがそれぞれ設けてあるとともに、裏側シート４の前記剥がし口２１ｆが設けられた部分と位置対応する部分には三角形状の打ち抜き部４４が設けてあり、領収証２１ｂと配達票２１ｃを剥がすために剥がし口２１ｆの表面に指を添えたときに、打ち抜き部４４の凹みによって剥がし口２１ｆを容易に指で摘むことができるように形成してある。
【００２４】
このように構成された本形態の帳票印刷用シート１によれば、これをプリンタにセットして、表側シート２の第１の情報印字領域２１に荷物配送に必要な情報、例えば配達先や発送主の名称や氏名、住所、連絡先などの情報、第２の情報印字領域２２に配送する荷物の明細についての情報、例えば品名や品番、個数などの情報をそれぞれ印字・印刷して配送用伝票Ｓを作製する。
【００２５】
配送用伝票Ｓを荷物に貼るときは、前述した帳票印刷用シート１の取り扱いと同様にして、先ず、表側シート２の第２の情報印字領域２２が形成された部分をその周囲のシート分断線２４に沿って中間シート３から引き剥がし、表側シート２の第１の情報印字領域２１と第２の情報印字領域２２を一続きにしたままで、中間シート３と裏側シート４の前記第２の情報印字領域２２に重なった部分をシート分断線３３，４３に沿って切り離し、袋状部５の開口を露出させる。
次いで、表側シート２の第２の情報印字領域２２に設けられた明細票２２ａを袋状部５内に折り込んで収納し、さらに、袋状部５の裏面側を覆う裏側シート４を剥離して粘着剤層８を露出させ、荷物を梱包した箱の表面に貼り付ければよい。
【００２６】
そして、袋状部５の表側である貼付票２１ａに表示された情報に基づいて荷物を配送し、荷物を受取主に配達するのと引き換えに、領収証２１ｂと配達票２１ｃを表側シート２から引き剥がして配達作業者が持ち帰ることができる。
このとき、領収証２１ｂと配達票２１ｃを表側シート２から切除することで表側シート２に切り取り孔ができるが、袋状部５に収納された明細票２２ａの裏面に予め帳票名称を印刷しておけば、受取主は、切り取り孔を通して袋状部５に書類が収納されていること及び収納された書類の内容を外側から確認することができる。さらに、受取主は、袋状部５から明細票２２ａを取り出して確認することで、配送された荷物の明細を、箱を開けずに確認することができる。
【００２７】
図９〜図１５は、本発明の帳票印刷用シートを適用した配送用伝票の他の形態を示している。
【００２８】
前記形態の配送用伝票Ｓと同様に本形態の配送票伝票Ｓも、前述の帳票印刷用シート１をその表側シート２の第１の情報印字領域２１に貼付票２１ａと領収証２１ｂと配達票２１ｃとの情報印字領域、第２の情報印字領域２２に配送荷物の明細票２２ａの情報印字領域をそれぞれレイアウトして構成されている以外は、前記図１から図６に示したシート１の構成と同じである。なお、後述の通り、本形態では明細票２２ａの裏面に袋状部５に封入した明細票２２ａの取り出し方を示した情報が予め印刷してある。
【００２９】
すなわち、図９及び図１０に示されるように、貼付票２１ａの情報印字領域は表側シート２の表面の片側に、領収証２１ｂと配達票２１ｃの情報印字領域は袋状部５の表面にそれぞれ位置するようにレイアウトされて各票を特定する情報が印字・印刷してあり、領収証２１ｂと配達票２１ｃの周囲は、アンカット部を適宜断続的に配したスリットからなるシート分断線２１ｄ，２１ｅで囲って、表側シート２から部分的に切除し分離することができるように設けてある。
領収証２１ｂのコーナー部には略三角形状に接着剤が塗布されていいない部分を設けた剥がし口２１ｆが設けられ、また、配達票２１ｃの下側隅部よりも外側の表側シート２の縁部にも剥がし口２１ｆが設けられ、この剥がし口２１ｆと配達票２１ｃの縁部の間にシート分断線２１ｇが設けられており、前記表側シート２の縁部の剥がし口２１ｆを指で摘むとシート分断線２１ｇに沿って配達票２１ｃを剥がれ、その周囲のシート分断線２１ｄ、２１ｅに沿って配達票２１ｃを容易に切除することができるようになっている。
また、表側シート２の配達票２１ａなどがレイアウトされた第１の情報印字領域２１と明細票２２ａがレイアウトされた第２の情報印字領域の境界に設けられたシート折れ線２３と、領収証２１ｂ及び配達票２１ｃの周囲を区画するシート分断線２１ｄとの間に、一対のシート分断線２１ｈ、２１ｈが設けられており、後述するように表側シート２をシート分断線２１ｈ、２１ｈに沿って切除することにより袋状部４に封入した明細票２２ａを取り出すことができるようになっている。
さらに、貼付票２１ａの下側隅部には、中間シート３の袋状部５から裏側シート４を剥離する際の摘み部となる剥がし口２１ｉが設けてある。この剥がし口２１ｉは、表側シート２の表面から中間シート３の表面に亘り切込みを入れて形成され、貼付票２１ａの下側隅部を指で摘んで引っ張ることで裏側シート４が剥離し、袋状部５裏面の粘着剤層８を露出させることができるように設けてある。
【００３０】
本形態の配送票伝票Ｓは、図１０に示された帳票印刷用シート１をプリンタにセットして、表側シート２の第１の情報印字領域２１に荷物配送に必要な情報、第２の情報印字領域２２に納品書となる配送する荷物の明細についての情報をそれぞれ印字・印刷して作製される。
【００３１】
前記と同様に、配送用伝票Ｓは以下のように操作して荷物に貼ることができる。
先ず、表側シート２の第２の情報印字領域２２が形成された部分をその周囲のシート分断線２４に沿って中間シート３から引き剥がし、表側シート２の第１の情報印字領域２１と第２の情報印字領域２２を一続きにしたままで、図１１に示されるように、中間シート３と裏側シート４の前記第２の情報印字領域２２に重なった部分をシート分断線３３，４３に沿って切り離し、袋状部５の開口を露出させる。
【００３２】
次いで、表側シート２の第２の情報印字領域２２に設けられた明細票２２ａを袋状部５内に折り込んで収納する。ここで、本形態のものでは、図１２に示されるように、袋状部５の開口両縁に裏側シート４から中間シート３に至るスリット５ａ．５ａを設けてあり、明細票２２ａの先端を袋状部５の開口に差し入れて押し込めば、明細票２２ａが袋状部５内にスムーズに進入して簡単且つ確実に折り込むことができるようになっている。
【００３３】
そして、明細票２２ａを袋状部５内に折り込んだならば、図１３に示されるように、貼付票２１ａの下側コーナー部に設けられた剥がし口２１ｉを指で摘み、袋状部５から裏側シート４を剥離して粘着剤層８を露出させることで、荷物を梱包した箱の表面に配送用伝票Ｓを貼り付けることができる。明細票２２ａは箱に貼られた配送用伝票Ｓ内に確実に封入されるため、デリバリーパックなどの用いずに荷物に添付して届け先まで配送することが可能である。
【００３４】
配送票伝票Ｓが貼られた荷物は、貼付票２１ａに表示された情報に基づいて受取主まで配送され、荷物を受取主に配達するのと引き換えに配達作業者は配送用伝票Ｓから配達票２１ｃを引き剥がして持ち帰る。この際、本形態のものでは、配達票２１ｃの外側の表側シート２の縁部に剥がし口２１ｆが設けられ、この剥がし口２１ｆと配達票２１ｃの間にシート分断線２１ｇを設けてあるので、前記剥がし口２１ｆを指で摘み、シート分断線２１ｇに沿って引き剥がすことで、配達票２１ｃをシート分断線２１ｄ、２１ｅに沿って容易に切除することが可能である。
【００３５】
また、図１４に示されるように、配達票２１ｃを切除して袋状部５の表面が大きく開くことで、収納された明細票２２ａが露出し、袋状部５内に明細票２２ａ（納品書）が収納されていることを確認することができ、併せて明細票２２ａの裏面に印刷された、明細票２２ａの取り出し方を示した情報を見ることが可能となり、受取主は表示された情報に沿って操作することで、荷物に配送用伝票Ｓを貼付けたまま明細票２２ａを取り出すことができる。
【００３６】
具体的には、明細票２２ａの取り出しは、図１５に示されるように、一対のシート分断線２１ｈ，２１ｈのうち、上側のシート分断線２１ｈの下側部分である明細票２２ａの折込み縁を指で摘み、明細票２２ａを側方へ引っ張ってシート分断線２１ｈ，２１ｈを分断すれば、袋状部５に折り込まれた明細票２２ａのみを配送用伝票Ｓから切除し分離して行なうことができる。
【００３７】
なお、図示した配送用伝票Ｓは、表側シート２の第１の情報印字領域２１に貼付票２１ａ、領収証２１ｂ及び配達票２１ｃをレイアウトしたが、貼付票２１ａのみ、或いは貼付票２１ａと領収証２１ｂをレイアウトしたものでもよく、第２の情報印字領域２２にレイアウトした明細票２２ａに代えて領収書をレイアウトしたものでもよい。
また、図示した帳票印刷用シート１では、中間シート３の裏面と裏側シート４の表面の間の全体に粘着剤層８を設けたが、これに代えて、裏側シート４表面の、中間シート３の袋状部形成領域３１に位置対応する部分を中間シート３の裏面部分と当該裏側シート４の表面部分の間に設けられた粘着剤層８を覆う粘着剤層保護領域とし、これ以外の部分、つまり、中間シート３のシート疑似接着領域３２に位置対応する部分を、中間シート３の裏面に接着剤を介して接着するシート接着領域としてもよい。
【００３８】
本発明の帳票印刷用シートは、配送用伝票の他に様々なラベルや、それ以外の用途の帳票に利用可能である。複数の情報印字領域をレイアウトするシートのサイズは限定されず、Ａ４やＡ３など様々なサイズのシートに適用が可能である。図示した帳票印刷用シートと配送用伝票の形態は本発明の実施態様の一例を示すものであり、本発明はこれに限定されず、利用する帳票やラベルの形態などに応じて適宜な形態で構成することが可能である。
【符号の説明】
【００３９】
１  帳票印刷用シート、２  表側シート、２１  第１の情報印字領域、２２  第２の情報印字領域、２３  シート折れ線、３  中間シート、３１  袋状部形成領域、３２  シート疑似接着領域、３３  シート分断線、４  裏側シート、４１，４２  粘着剤層保護領域、４３  シート分断線、５  袋状部、６  接着剤層、７  疑似接着剤層、８  接着剤層、２１ａ  貼付票、２１ｂ  領収証、２１ｃ  配達票、２１ｄ，２１ｅ，２１ｇ，２１ｈ  シート分断線、２１ｆ，２１ｉ  剥がし口、２２ａ  明細票（納品書）、４４  打ち抜き部、Ｓ  配送用伝票  
【図１】
2018012241.tif 000003
【図２】
2018012241.tif 000004
【図３】
2018012241.tif 000005
【図４】
2018012241.tif 000006
【図５】
2018012241.tif 000007
【図６】
2018012241.tif 000008
【図７】
2018012241.tif 000009
【図８】
2018012241.tif 000010
【図９】
2018012241.tif 000011
【図１０】
2018012241.tif 000012
【図１１】
2018012241.tif 000013
【図１２】
2018012241.tif 000014
【図１３】
2018012241.tif 000015
【図１４】
2018012241.tif 000016
【図１５】
2018012241.tif 000017
【図１６】
2018012241.tif 000018